(57)【要約】【課題】  テープに慣れ親しんだユーザーでも使いやすい装置を提供する。【解決手段】  ランダムアクセスの記録媒体に対して画像データを記録する記録手段と、前記記録媒体に記録された画像データを再生する再生手段と、前記画像データの記録停止時における前記記録媒体上の画像データの記録位置を示す記録停止位置情報を生成する生成手段と、プレビュー指示に応じて前記記録停止位置の所定時間前から前記画像データを再生し、前記記録停止位置にて再生を停止するよう前記再生手段を制御する制御手段とを備える。【選択図】  図６
2005159491.tif 000002
【特許請求の範囲】
【請求項１】
ランダムアクセスの記録媒体に対して画像データを記録する記録手段と、
前記記録媒体に記録された画像データを再生する再生手段と、
前記画像データの記録停止時における前記記録媒体上の画像データの記録位置を示す記録停止位置情報を生成する生成手段と、
プレビュー指示に応じて前記記録停止位置の所定時間前から前記画像データを再生し、前記記録停止位置にて再生を停止するよう前記再生手段を制御する制御手段とを備える記録装置。
【請求項２】
ランダムアクセスの記録媒体から画像データを再生する再生手段と、
前記記録媒体における直前の再生停止位置を示す再生停止位置情報を検出する検出手段と、
プレビュー再生の指示に応じて、前記再生停止位置の所定時間前から前記画像データを再生し、前記再生停止位置にて再生を停止するよう前記再生手段を制御する制御手段とを備える再生装置。
【発明の詳細な説明】
【技術分野】
【０００１】
本発明はランダムアクセスの記録媒体に対して画像データを記録する装置に関する。
【背景技術】
【０００２】
従来、記録媒体としてテープを用いるカメラ一体型記録再生装置は、テープ上に画像データを時系列的に連続記録するため、テープの停止位置で最終記録位置や最終再生位置などが判った。
【０００３】
近年、記録媒体としてテープではなくディスク媒体を用いるビデオカメラが登場している。ディスクを用いるビデオカメラでは、画像データの記録動作や再生動作を制御するための管理情報として、Ｔａｂｌｅ  Ｏｆ  Ｃｏｎｔｅｎｔｓ（以下、ＴＯＣと記す）を使用する。ＴＯＣ情報は、撮像した画像データをディスクに記録する際に、画像データを記録する領域とは独立してディスクの内周側に設けられた領域（システム情報管理領域）に保存される。
【０００４】
再生時には、ＴＯＣ情報をディスクから読み出し、各種動作の制御を行なう。このＴＯＣ情報は、記録した画像データの開始位置情報、終了位置情報、リンク位置情報等の情報であり、記録開始から記録停止までを単位とするシーンと呼ばれる画像区間ごとに整理され、そのシーンごとのインデックス画面が表示される。
【０００５】
記録モード時は、図６のように記録一時停止時にプレビューさせるとＴＯＣ情報にある最終記録シーンの開始位置から再生する。一方、最終再生シーンはディスクが取り出されない限り記憶しており、図７のようにインデックス画面上に強調表示などしてユーザーがわかるようになっており、再生するとＴＯＣ情報によりそのシーンの開始位置から再生する。
【０００６】
また、この種のディスク媒体を用いるビデオカメラにおいて、特許文献１や特許文献２の様に、ディスク上の最終再生位置の情報を記録しておき、次の再生時に前回の再生停止位置から引き続いて再生することも考えられている。
【特許文献１】特開平１０−９７７６６号公報
【特許文献２】特開２０００−５７７５１号
【発明の開示】
【発明が解決しようとする課題】
【０００７】
しかしながら、前記の特許文献では、再生停止位置の情報しか記録していないため、記録開始時において、前回の最終記録部分を少しだけ見たい場合でも、最後に記録したシーンの先頭から再生するしかなく、最終記録部分を再生するために頭だし処理を行なう必要がある。そのため、シーンが長い場合は最終記録部分を見るのに煩わしかった。
【課題を解決するための手段】
【０００８】
そこで、本発明の目的は、上記の欠点を解決するために、再生モードでは最後に再生した場面から引き続き再生して見ることでき、また記録モードでは最終録部分を数秒間プレビューすることができ、テープに慣れ親しんだユーザーでも使いやすい装置を提供することにある。
【発明の効果】
【０００９】
請求項１の発明によれば、最終再生位置情報を記録媒体上に記録するので、記録媒体を一旦取り出しても最終再生位置情報を読み込むことによって最終再生位置をプレビューして再生開始することができ、ユーザーが探す手間を省いたり、記憶が定かでなくても、最後に再生した場面から引き続き再生して見ることが可能なカメラ一体型記録再生装置を提供することができる。
【００１０】
請求項２の発明によれば、最終再生位置情報を記録媒体上に圧縮ブロック単位で記録するので、再生停止位置から再び再生を開始しても、最終再生位置のプレビューが必要最小時間にでき、煩わしさを感じることなく最後に再生した場面から引き続き再生して見ることが可能なカメラ一体型記録再生装置を提供することができる。
【００１１】
請求項３の発明によれば、再生モード時は最終再生位置情報をもとにプレビューし、再生一時停止状態で待機するので、ユーザーが意識しなくても最後に再生した場面から引き続き再生して見ることができるカメラ一体型記録再生装置を提供できる。
【００１２】
請求項４の発明によれば、インデックス画面表示時は、最終再生位置が含まれる画像区間を強調表示し、再生モードに移行した場合、最終再生位置情報をもとにプレビューして再生開始するので、ユーザーが意識しなくても最後に再生した場面から引き続き再生して見ることができるカメラ一体型記録再生装置を提供できる。
【００１３】
請求項５の発明によれば、記録モード時は最終記録位置情報をもとに圧縮ブロック単位の最終記録位置を必要最小限の時間プレビューし、記録一時停止状態で待機するので、記録媒体がテープのような使い勝手となり、テープに慣れ親しんだユーザーでも使いやすいカメラ一体型記録再生装置を提供できる。
【発明を実施するための最良の形態】
【００１４】
（第１の実施の形態）
図１は本発明の第１の実施の形態を表す図であり、同図において１はレンズやＣＣＤ等を含む撮像系、２はＡ／Ｄコンバータ、３はカメラ信号処理回路、４は画像の圧縮を行なう画像圧縮処理回路、５は符号化後の画像に対して記録処理を行なう記録処理回路、６は記録媒体であるディスク、７は記録画像の再生処理を行なう再生処理回路、８は画像圧縮回路４での圧縮方式に対応する伸張方式で画像を復元する画像伸張処理回路、９はＤ／Ａコンバータ、１０は外部モニター等に接続する画像出力端子、１１は装置全体の動作制御を司るシステムコントローラ、１２は操作指示入力部である。
【００１５】
図１の構成において、撮像系１にて撮影して得られた画像信号は、Ａ／Ｄコンバータ２によってデジタル化され、カメラ信号処理回路３に供給される。カメラ信号処理回路３は、Ａ／Ｄコンバータ２からの画像データの輝度や色の調整処理等を行なう。このカメラ信号処理回路３の処理後の画像データは、画像圧縮回路４に供給される。画像圧縮回路４は、カメラ信号処理回路３からの画像データを所定の圧縮方式のアルゴリズムに基づいて符号化する。ここでの圧縮方式としては、データ量削減のために所定のフレーム単位で圧縮するＭＰＥＧ方式が挙げられる。画像圧縮回路４にて圧縮された画像データは、記録処理回路５に供給される。記録処理回路５は、画像圧縮回路４からの画像データを、記録に適したフォーマットへ変換した後、それを図示してない記録用ヘッドを用いて、記録媒体であるディスク６の画像データ記録領域に画像データを画像データ記録領域より内周部分に設けられたシステム情報管理領域にＴＯＣ情報を記録する。ディスク６に記録された画像データを再生する場合、ディスク６の画像データは、図示していない再生用ヘッドにより読み取られる。この読み取られた画像データは、再生処理回路７へ供給される。再生処理回路７は、上記再生ヘッドより読み取られた画像データに対して、記録処理回路５でのフォーマット変換前のデータに戻す変換処理を行なう。この処理後の画像データは、画像伸張処理回路８に供給される。画像伸張処理回路８は、再生処理回路７からの画像データを、画像圧縮回路４での圧縮方式に対応した方式で、伸張する。伸張された画像データは、Ｄ／Ａコンバータ９でアナログ信号に変換され、画像出力端子１０を介して外部モニター等に供給される。
【００１６】
再生停止時には、画像圧縮の単位であるブロック（所定のフレーム数）を最終再生位置情報としてディスク６のシステム情報管理領域に記録する。
【００１７】
上記構成において、システムコントローラ１１と操作部１２により例えば図２のようなフローチャートにしたがって操作される。再生モードになると（ｓ１）、ディスク６のシステム情報管理領域に記録してあるＴＯＣ情報及び最終再生位置情報を読込む（ｓ２）。次に、ユーザーが再生開始させると（ｓ３）、最終再生位置をプレビューし（ｓ４）、そのまま続けて再生する（ｓ５）。ユーザーが再生停止させると（ｓ６）、最終再生位置情報を圧縮ブロック単位でディスク６のシステム情報管理領域に記録する（ｓ７）。このまま、電源ＯＦＦや他モードに移行する場合は終了となる（ｓ８）。最終再生位置情報が圧縮ブロック単位なので動画像データを復元する最小単位であり、プレビュー時間を必要最小限にすることができる。
【００１８】
また、再生中に（ｓ５）、突然電源ｏｆｆ命令がきても必ず再生停止し（ｓ６）、最終再生位置情報を記録してから（ｓ７）、終了する（ｓ８）。
【００１９】
また、別のディスクに変更になった時には、システム情報管理領域に記録してあるＴＯＣ情報及び最終再生位置情報を再度読み込んで（ｓ２）、以降同様な動作を行なう。
【００２０】
言うまでもなく、記録媒体はディスク以外のランダムアクセス媒体、例えば半導体メモリでもよく、最終再生位置情報を記録する場所は、映像が記録される記録媒体そのもの以外でもよく、例えば記録媒体と一体化になったメモリＩＣなどでもよい。
【００２１】
以上のように、最終再生位置情報を記録媒体上に圧縮ブロック単位で記録するので、記録媒体を一旦取り出しても最終再生位置情報を読み込むことによって最終再生位置をプレビューして再生開始することができ、ユーザーが探す手間を省いたり、記憶が定かでなくても、最後に再生した場面から引き続き再生することができ、かつ最終再生位置のプレビュー時間を必要最小限にすることが可能なカメラ一体型記録再生装置を提供することができる。
【００２２】
（第２の実施の形態）
図３は第２の実施の形態を表すフローチャート図である。
【００２３】
まず再生モードになると（ｓ２１）、ディスク６のシステム情報管理領域に記録してあるＴＯＣ情報及び最終再生位置情報を読込み（ｓ２２）、最終再生位置をプレビューし（ｓ２３）、再生一時停止状態で待機する（ｓ２４）。ユーザーが再生を開始し（ｓ２５）、再生を続け（ｓ２６）、ユーザーが再生停止させると（ｓ２７）、最終再生位置情報を圧縮ブロック単位でディスク６のシステム情報管理領域に記録する（ｓ２８）。このまま、電源ＯＦＦや他モードに移行する場合は終了となる（ｓ２９）。
【００２４】
また、再生停止した位置から再生開始させると（ｓ３１）、最終再生位置をプレビューし（ｓ３２）、再生を続行し（ｓ２６）、再生停止させると（ｓ２７）、最終再生位置情報をディスク６に記録する（ｓ２８）。また、早送りや巻き戻しなど再生伴わない位置移動をして（ｓ３０）、再生開始した場合は（ｓ２５）、最終再生位置をプレビューせずにそのまま再生する（ｓ２６）。再生停止位置から再び再生を開始した場合は、プレビューから再生し、早送りや巻き戻しなどの後の再生ではプレビューせずにそのまま再生するので、煩わしさを感じることがない。
【００２５】
また、再生中に（ｓ２６）、突然電源ｏｆｆ命令がきても必ず再生停止し（ｓ２７）、最終再生位置情報を記録してから（ｓ２８）、終了する（ｓ２９）。
【００２６】
また、別のディスクに変更になった時には、システム情報管理領域に記録してあるＴＯＣ情報及び最終再生位置情報を再度読み込んで（ｓ２２）、以降同様な動作を行なう。
【００２７】
以上のように、再生モード時は最終再生位置情報をもとに最終再生位置をプレビューして再生一時状態で待機するので、ユーザーが意識しなくても最後に再生した場面から引き続き再生して見ることが可能なカメラ一体型記録再生装置を提供することができる。
【００２８】
（第３の実施の形態）
図４は第３の実施の形態を表すフローチャート図である。
【００２９】
まずインデックス画面表示モードになると（ｓ４１）、ディスク６のシステム情報管理領域に記録してあるＴＯＣ情報及び最終再生位置情報を読込み（ｓ４２）、最終再生位置が含まれる画像区間（シーン）を強調表示する（ｓ４３）。ユーザーが再生を開始すると（ｓ４４）、最終再生位置をプレビューし（ｓ４５）、そのまま続けて再生する（ｓ４６）。ユーザーが再生停止させると（ｓ４７）、最終再生位置情報を圧縮ブロック単位でディスク６のシステム情報管理領域に記録する（ｓ４８）。このまま、電源ＯＦＦや他モードに移行する場合は終了となる（ｓ４９）。そのまま、再生停止した状態であると最終再生位置が含まれる画像区間（シーン）を強調表示するインデックス画面が表示される（ｓ４３）。
【００３０】
また、早送りや巻き戻し、インデックス画面上でのシーンのスキップなど再生を伴わない位置移動をして（ｓ５０）、再生開始した場合は（ｓ５１）、最終再生位置をプレビューせずにそのまま再生する（ｓ４６）。
【００３１】
また、再生中に（ｓ４６）、突然電源ｏｆｆ命令がきても必ず再生停止し（ｓ４７）、最終再生位置情報を記録してから（ｓ４８）、終了する（ｓ４９）。
【００３２】
また、別のディスクに変更になった時には、システム情報管理領域に記録してあるＴＯＣ情報及び最終再生位置情報を再度読み込んで（ｓ４２）、以降同様な動作を行う。
【００３３】
以上のように、インデックス画面表示時は、最終再生位置が含まれる画像区間を強調表示し、再生モードに移行した場合、最終再生位置情報をもとにプレビューして再生開始するので、ユーザーが意識しなくても最後に再生した場面から引き続き再生して見ることができるカメラ一体型記録再生装置を提供できる。
【００３４】
（第４の実施の形態）
図５は第４の実施の形態を表すフローチャート図である。
【００３５】
まず記録モードになると（ｓ６１）、記録媒体上のシステム情報管理領域に記録してあるＴＯＣ情報及び圧縮ブロック単位で記録されている最終記録位置情報を読込み（ｓ６２）、最終記録位置をプレビューし（ｓ６３）、記録一時停止状態で待機する（ｓ６４）。ユーザーが記録開始させると（ｓ６５）、記録し（ｓ６６）、ユーザーが記録一時停止させると（ｓ６７）、ＴＯＣ情報及び圧縮ブロック単位の最終記録位置情報を記録媒体上のシステム情報管理領域に記録する（ｓ６８）。このまま、電源ＯＦＦや他モードに移行する場合は終了となる（ｓ６９）。ｓ６８状態から記録を再開する時には、プレビューなしで記録を開始する（ｓ６５）。
【００３６】
最終記録位置情報が動画像を復元できる圧縮ブロック単位であるので、プレビュー時間を必要最小限にすることができる。
【００３７】
また、記録中に（ｓ６６）、突然電源ｏｆｆ命令がきても必ず記録一時停止し（ｓ６７）、ＴＯＣ情報及び最終記録位置情報を記録してから（ｓ６８）、終了する（ｓ６９）。
【００３８】
また、別の記録媒体に変更になった時には、スタート（Ｓ６１）以降同様な動作を行う。
【００３９】
以上のように、記録モード時は最終記録位置情報をもとに圧縮ブロック単位の最終記録位置を必要最小限の時間プレビューし、記録一時停止状態で待機するので、記録媒体がテープのような使い勝手となり、テープに慣れ親しんだユーザーでも使いやすいカメラ一体型記録再生装置を提供できる。
【図面の簡単な説明】
【００４０】
【図１】本発明の第１の実施の形態を説明する図である。
【図２】本発明の第１の実施の形態を説明するフローチャート図である。
【図３】本発明の第２の実施の形態を説明するフローチャート図である。
【図４】本発明の第３の実施の形態を説明するフローチャート図である。
【図５】本発明の第４の実施の形態を説明するフローチャート図である。
【図６】従来例を説明するフローチャート図である。
【図７】従来例を説明するフローチャート図である。
【図１】
2005159491.tif 000003
【図２】
2005159491.tif 000004
【図３】
2005159491.tif 000005
【図４】
2005159491.tif 000006
【図５】
2005159491.tif 000007
【図６】
2005159491.tif 000008
【図７】
2005159491.tif 000009